(57)【要約】      （修正有）【課題】簡単な構造で低廉かつ容易に製造でき、用便時の移動を完全に防止できるとともに、用便に供した後の始末が簡単かつ衛生的にできる洋式便器用非常時汚物収容袋を提供する。【解決手段】柔軟性のある合成樹脂フィルム１５によって形成され、洋式便器の便器本体開口部より挿入してその内部に広げることができる袋本体部１１と、その開口部側を延長した配置一体に形成され、袋本体部を洋式便器内に挿入して広げた状態で便器本体開口縁部外側に折り返し可能な便器開口縁覆い部１２と、袋本体部の開口部に一体化され、洋式便器の便座取付部に巻き付け可能で、かつ用便後の汚物収容袋１０の開口部外周を巻き締め可能な紐材１３とを備える。【選択図】図１
0003190730.tif 000002
【実用新案登録請求の範囲】
【請求項１】
柔軟性のある合成樹脂フィルムによって形成され、洋式便器の便器本体開口部より挿入してその内部に広げることができる袋本体部と、
該袋本体部の開口部側を延長した配置一体に形成され、前記袋本体部を洋式便器内に挿入して広げた状態で該洋式便器の便器本体開口縁部外側に折り返し可能な便器開口縁覆い部と、
前記袋本体部の開口部に一体化され、前記洋式便器の便座取付部に巻き付け可能で、かつ用便後の前記汚物収容袋の開口部外周を巻き締め可能な紐材とを備えている洋式便器用非常時汚物収容袋。
【請求項２】
前記便器開口縁覆い部は、前記袋本体部の開口縁を延長した筒状配置に形成され、該筒状の一部にその先端から袋本体部の開口部に到る切り込みを備えて構成されている請求項１に記載の洋式便器用非常時汚物収容袋。
【請求項３】
前記紐材は、前記袋本体部と同じ合成樹脂フィルムによって構成され、その先端を前記切り込み部の端部位置の袋本体部に挿入し、袋本体部合成樹脂フィルム間に挟み込んだ溶着部により一体化され、該溶着部により前記切り込み部先端を裂け止めしている請求項２に記載の洋式便器用非常時汚物収容袋。
【考案の詳細な説明】
【技術分野】
【０００１】
本考案は、断水時に洋式便器に装着して用便に供する洋式便器用非常時汚物収容袋に関する。
【背景技術】
【０００２】
従来、災害等の非常時において、断水によって水洗便器の汚物流し用の水が出ない場合において、用便に供する非常時用簡易便器が多数開発されている。
【０００３】
この種の従来の簡易便器としては、合成樹脂や段ボール材によって予め組立用のパーツを形成しておき、これらを組み立てて簡易便器とするもの（例えば特許文献１）や、洋式便器の開口部に汚物受け要のシートを置き、便座で押えることによって仮固定し、通常時の用便と同様に大小便を排泄してシート内に汚物を受けるようにしたもの（例えば特許文献２）が提案されている。
【先行技術文献】
【特許文献】
【０００４】
【特許文献１】特開平０９−７２２６０号公報
【特許文献２】特開２０１３−８１５６４号公報
【考案の概要】
【考案が解決しようとする課題】
【０００５】
しかしながら、特許文献１のような組み立て式の簡易便器は、その保管に場所を要し、また、用便時には人の体重の殆どを受け持つ必要があるため、堅牢である必要があり、組立も複雑とならざるを得ない。
【０００６】
一方、特許文献２のように既存の便器に排泄物受け用のシート状のものを設置する方式のものは、保管に場所を取らず、排泄時の人の体重は、既存の便器が受け持つため、それ自体に堅牢さは要求されず、排せつ物の飛散や漏れが防止できればよいという利点がある。
【０００７】
しかし、従来のこの種のシート状のものは、使用時の便器に対する移動防止のための構造が不十分なものが多く、使用中に水平方向にずれたり、便器内に落ち込んだりすることを防止する機能が不十分であり、また用便後の始末が、衛生的且つ容易にできないという問題があった。
【０００８】
本考案はこのような従来の問題に鑑み、簡単な構造で低廉かつ容易に製造でき、用便時の移動を完全に防止できるとともに、用便に供した後の始末が簡単かつ衛生的にできる洋式便器用非常時汚物収容袋の提供を目的としてなされたものである。
【課題を解決するための手段】
【０００９】
上述の如き従来の問題を解決するための請求項1に記載の考案の特徴は、柔軟性のある合成樹脂フィルムによって形成され、洋式便器の便器本体開口部より挿入してその内部に広げることができる袋本体部と、該袋本体部の開口部側を延長した配置一体に形成され、前記袋本体部を洋式便器内に挿入して広げた状態で該洋式便器の便器本体開口縁部外側に折り返し可能な便器開口縁覆い部と、前記袋本体部の開口部に一体化され、前記洋式便器の便座取付部に巻き付け可能で、かつ用便後の前記汚物収容袋の開口部外周を巻き締め可能な紐材とを備えている洋式便器用非常時汚物収容袋にある。
【００１０】
請求項２に記載の発明の特徴は、請求項１の構成に加え、前記便器開口縁覆い部は、前記袋本体部の開口縁を延長した筒状配置に形成され、該筒状の一部にその先端から袋本体部の開口部に到る切り込みを備えて構成されていることにある。
【００１１】
請求項３に記載の発明の特徴は、請求項２の構成に加え、前記紐材は、前記袋本体部と同じ合成樹脂フィルムによって構成され、その先端を前記切り込み部の端部位置の袋本体部に挿入し、袋本体部合成樹脂フィルム間に挟み込んだ溶着部により一体化され、該溶着部により前記切り込み部先端を裂け止めしていることにある。
【考案の効果】
【００１２】
本考案に係る洋式便器用非常時汚物収容袋は、請求項1に記載のように、請求項1に記載の考案の特徴は、柔軟性のある合成樹脂フィルムによって形成され、洋式便器の便器本体開口部より挿入してその内部に広げることができる袋本体部と、該袋本体部の開口部側を延長した配置一体に形成され、前記袋本体部を洋式便器内に挿入して広げた状態で該洋式便器の便器本体開口縁部外側に折り返し可能な便器開口縁覆い部と、前記袋本体部の開口部に一体化され、前記洋式便器の便座取付部に巻き付け可能で、かつ用便後の前記汚物収容袋の開口部外周を巻き締め可能な紐材とを備えていることにより、洋式便器に対した装着する際に、紐材によって便座取付部に固定することができるため、便器前方側への移動が防止され、この状態で便器開口縁覆い部が便器の開口縁を覆って外側に折り返された状態となるため、便器に対する装着が安定した状態で、排便時に袋本体部内以外の部分の汚れが防止され、更に用便時は、便座に加わる人体の重量よって、便器開口縁覆い部が便器開口縁上面との間に挟み込まれ、安定した状態で用便に供することができる。
【００１３】
本発明は、請求項２に記載のように、前記便器開口縁覆い部は、前記袋本体部の開口縁を延長した筒状配置に形成され、該筒状の一部にその先端から袋本体部の開口部に到る切り込みを備えて構成されていることにより、その製造が低コストで容易になされる。
【００１４】
本発明は、請求項３に記載のように、前記紐材は、前記袋本体部と同じ合成樹脂フィルムによって構成され、その先端を前記切り込み部の端部位置の袋本体部に挿入し、袋本体部合成樹脂フィルム間に挟み込んだ溶着部により一体化され、該溶着部により前記切り込み部先端を裂け止めしていることにより、便器に対する装着時に切り込み部が強く開かれた際にも裂け止めが十分になされることとなり、緊急時の手荒い扱いに際しても十分に強度を保つことができる。
【図面の簡単な説明】
【００１５】
【図１】本考案に係る洋式便器用非常時汚物収容袋の一例を示す斜視図である。
【図２】同汚物収容袋の洋式便器に対する装着状態を示す断面図である。
【図３】同汚物収容袋の使用後の開口部を閉じた状態の側面図である。
【考案を実施するための形態】
【００１６】
次に、本考案に係る洋式便器用非常時汚物収容袋の実施の形態を図に示した実施例に基づいて説明する。
【００１７】
この例の汚物収容処１０は、合成樹脂製のフィルムをもって形成された袋状の袋本体部１１と、その開口部を延長させた形状の便器開口縁覆い部１２とが一体に形成されている。
【００１８】
袋本体部１１には、その開口部位置に紐材１３が一体に備えられている。この紐材１３は、袋本体部１１と同じ合成樹脂フィルムを帯状に切断することによって形成されており、その端部を袋本体部１１の開口部内に溶着することによって取り付けられている。
【００１９】
尚、袋本体部１１と便器開口縁覆い部１２は、図１に示すように筒状に成形した基材フィルム１５を所定の長さに切断し、その一端側をシールして袋本体部１１の底部を形成し、他端側を切り離したままの状態とし、その端部より便器開口縁覆い部１２の長さ分だけ袋本体部１１側に切り込み１６を入れることにより、形成されており、切り込み１６の袋本体部１１側に紐材１３の先端を挿入し、袋本体１３の両面より溶着部１７を形成することによって一端が袋本体部１１の開口部内に一体化されている。
【００２０】
この汚物収容処１０の使用に際しては、図２に示すように、洋式便器２０の便座２１を持ち上げた状態で袋本体部１１を洋式便器２０内に挿入し、便器開口縁覆い部１２を、便座取付部２２を除く便器開口縁部２３の上より外側に掛け回して折り返し、便器開口縁部２３を覆う。
【００２１】
この状態で紐材１３を便座取付部２２に巻きつけて仮固定するとともに、便座２１を便器開口縁部２２上に倒すことにより、便座の便器当り部２４と便器開口縁部２２との間に便器開口縁覆い部１２を挟み込まれ、洋式便器２０に対する汚物収容処１０の装着を完了する。
【００２２】
この状態で、通常時と同様に用便し、用便後においては図３に示すように、紐材１３を便座取付部２２から外し、便器開口縁覆い部１２を上側に伸ばし、袋本体部１１の開口部より下側に紐材１３を巻きつけて袋本体部１１の開口部を閉じる。次いで前述の実施例と同様に、汚物が処理されて収容された汚物収容処理袋１を、使用した使い捨て手袋その他の汚染物と共に別のごみ袋等に入れて、廃棄又は廃棄のために保管する。
【００２３】
尚、このように構成される洋式便器用非常時汚物収容袋には、別途に、内部に高吸水性樹脂材と必要に応じて二酸化塩素発生剤を気液密性のフィルムにより密封状態にしたパックを備えておき、汚物投入後にその上に振り掛けるように投入することが好ましい。
【００２４】
二酸化塩素発生剤としては亜塩素酸ナトリウムとジクロロイソシアヌル酸ナトリウムの混合物が使用できる。この場合において洋式便器用非常時汚物収容袋１０内に落とし込まれた汚物は、これに含まれている水分が高吸水性樹脂材に吸収されるとともに、汚物の水成分が亜塩素酸ナトリウムとジクロロイソシアヌル酸ナトリウムの混合物に反応して二酸化塩素を発生し、これによってウィルス類を不活性化させる。更に、臭気成分は二酸化塩素による酸化分解によって拡散が防止される。
【符号の説明】
【００２５】
１０  洋式便器用非常時汚物収容袋
１１  袋本体部
１２  便器開口縁覆い部
１３  紐材
１５  基材フィルム
１６  切り込み
１７  溶着部
２０  洋式便器
２１  便座
２２  便座取付部
２３  便器開口縁部
２４  便器当り部
【図１】
0003190730.tif 000003
【図２】
0003190730.tif 000004
【図３】
0003190730.tif 000005